【手続補正書】
【提出日】平成28年8月8日(2016.8.8)
【手続補正１】
【補正対象書類名】明細書
【補正対象項目名】０００９
【補正方法】変更
【補正の内容】
【０００９】
本発明に係る表示装置は、上記課題を解決するために、第１基板と、前記第１基板に対向する第２基板と、前記第１基板と前記第２基板との間に設置された複数のスペーサと、前記第１基板上に形成された、前記複数のスペーサを保持する複数の台座と、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、前記第２基板上に形成された、前記複数の画素のそれぞれに対向する複数の光透過部と、を含み、前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、を含み、前記複数のデータ線は、隣り合う前記第１画素と前記第２画素との間に配置される第１データ線と、隣り合う前記第１画素と前記第３画素との間に配置される第２データ線と、を含み、前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、前記複数の台座は、行方向に隣り合う前記第１薄膜トランジスタと前記第２薄膜トランジスタとの間に形成された第１台座と、行方向に隣り合う前記第１薄膜トランジスタと前記第３薄膜トランジスタとの間に形成された第２台座と、を含み、前記複数のスペーサは、前記第１台座に設置された第１スペーサと、前記第２台座に設置された第２スペーサと、を含み、前記第１スペーサの中心は、前記第１台座の中心よりも前記第１薄膜トランジスタ側にシフトしており、前記第２スペーサの中心は、前記第２台座の中心よりも前記第１薄膜トランジスタ側にシフトしている、ことを特徴とする。
【手続補正２】
【補正対象書類名】特許請求の範囲
【補正対象項目名】全文
【補正方法】変更
【補正の内容】
【特許請求の範囲】
【請求項１】
第１基板と、
前記第１基板に対向する第２基板と、
前記第１基板と前記第２基板との間に設置された複数のスペーサと、
前記第１基板上に形成された、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、
前記第２基板上に形成された、前記複数の画素のそれぞれに対向する複数の光透過部と、
を含み、
前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、を含み、
前記複数のデータ線は、隣り合う前記第１画素と前記第２画素との間に配置される第１データ線と、隣り合う前記第１画素と前記第３画素との間に配置される第２データ線と、を含み、
前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、
前記複数のスペーサは、行方向に隣り合う前記第１薄膜トランジスタと前記第２薄膜トランジスタとの間に配置された第１スペーサと、行方向に隣り合う前記第１薄膜トランジスタと前記第３薄膜トランジスタとの間に配置された第２スペーサと、を含み、
前記第１スペーサの中心から、前記第１データ線の線幅の中心までの距離は、前記第２スペーサの中心から、前記第２データ線の線幅の中心までの距離よりも小さい、
ことを特徴とする表示装置。
【請求項２】
前記第１基板と前記第２基板との間に液晶層を含み、
前記第１基板はさらに配向膜を含み、
前記配向膜は光配向処理されている、
ことを特徴とする請求項１に記載の表示装置。
【請求項３】
第１基板と、
前記第１基板に対向する第２基板と、
前記第１基板と前記第２基板との間に設置された複数のスペーサと、
前記第１基板上に形成された、前記複数のスペーサを保持する複数の台座と、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、
前記第２基板上に形成された、前記複数の画素のそれぞれに対向する複数の光透過部と、
を含み、
前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、を含み、
前記複数のデータ線は、隣り合う前記第１画素と前記第２画素との間に配置される第１データ線と、隣り合う前記第１画素と前記第３画素との間に配置される第２データ線と、を含み、
前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、
前記複数の台座は、行方向に隣り合う前記第１薄膜トランジスタと前記第２薄膜トランジスタとの間に形成された第１台座と、行方向に隣り合う前記第１薄膜トランジスタと前記第３薄膜トランジスタとの間に形成された第２台座と、を含み、
前記複数のスペーサは、前記第１台座に設置された第１スペーサと、前記第２台座に設置された第２スペーサと、を含み、
前記第１スペーサの中心は、前記第１台座の中心よりも前記第１薄膜トランジスタ側にシフトしており、前記第２スペーサの中心は、前記第２台座の中心よりも前記第１薄膜トランジスタ側にシフトしている、
ことを特徴とする表示装置。
【請求項４】
前記第１スペーサの中心から、前記第１台座の中心までの距離は、前記第２スペーサの中心から、前記第２台座の中心までの距離と略同じである、
ことを特徴とする請求項３に記載の表示装置。
【請求項５】
第１基板と、
前記第１基板に対向する第２基板と、
前記第１基板と前記第２基板との間に設置された複数のスペーサと、
前記第１基板上に形成された、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、
前記第２基板上に形成された、前記複数の画素のそれぞれに対向する複数の光透過部と、
を含み、
前記複数の画素は、青色の光を透過する光透過部に対向する青色画素と、緑色の光を透過する光透過部に対向する緑色画素と、赤色の光を透過する光透過部に対向する赤色画素と、を含み、
前記複数の薄膜トランジスタは、前記青色画素の領域内に形成された第１薄膜トランジスタと、前記緑色画素の領域内に形成された第２薄膜トランジスタと、前記赤色画素の領域内に形成された第３薄膜トランジスタと、を含み、
前記複数のスペーサは、行方向に隣り合う前記第１薄膜トランジスタと前記第２薄膜トランジスタとの間、及び、行方向に隣り合う前記第１薄膜トランジスタと前記第３薄膜トランジスタとの間に配置されている一方、行方向に隣り合う前記第２薄膜トランジスタと前記第３薄膜トランジスタとの間には配置されていない、
ことを特徴とする表示装置。
【請求項６】
第１基板と、
前記第１基板に対向する第２基板と、
前記第１基板と前記第２基板との間に設置された複数のスペーサと、
を含み、
前記第２基板上に、それぞれが遮光層で囲まれ光を透過する部位が短辺と長辺とからなる略矩形状である、青色の光を透過する青色光透過部と、緑色の光を透過する緑色光透過部と、赤色の光を透過する赤色光透過部とが、マトリクス状に配置されており、
前記複数のスペーサは、前記青色光透過部と前記緑色光透過部との境界近傍で、かつ光透過部の短辺側に配置された第１スペーサと、前記青色光透過部と前記赤色光透過部との境界近傍で、かつ光透過部の短辺側に配置された第２スペーサと、を含み、
前記青色光透過部の短辺の中心から前記第２スペーサの中心までの距離は、前記緑色光透過部の短辺の中心から前記第１スペーサの中心までの距離よりも小さい、
ことを特徴とする表示装置。
【請求項７】
第１基板と、
前記第１基板に対向する第２基板と、
前記第１基板と前記第２基板との間に設置された複数のスペーサと、
を含み、
前記第２基板上に、それぞれが遮光層で囲まれ光を透過する部位が短辺と長辺とからなる略矩形状である、青色の光を透過する青色光透過部と、緑色の光を透過する緑色光透過部と、赤色の光を透過する赤色光透過部とが、マトリクス状に配置されており、
前記複数のスペーサは、前記青色光透過部と前記緑色光透過部との境界近傍で、かつ光透過部の短辺側に配置された第１スペーサと、前記青色光透過部と前記赤色光透過部との境界近傍で、かつ光透過部の短辺側に配置された第２スペーサと、を含み、
前記青色光透過部の短辺の中心から前記第１スペーサの中心までの距離は、前記赤色光透過部の短辺の中心から前記第２スペーサの中心までの距離よりも小さい、
ことを特徴とする表示装置。